【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
除湿された空気を蒸発冷却プロセスに供給する除湿システムであって：
乾燥剤材料で被覆された外部空気側表面を含む流体―空気熱交換器であって、流体はある温度で前記熱交換器を通過し、ここで該温度は、前記熱交換器を横切ることを許可された、又は強制されてア空気流から、水蒸気が除去されることを引き起こす、流体―空気熱交換器と；
前記吸着サイクルの間、空気流が前記熱交換器を横切ることを許可する又は強制する手段と；
吸着された水が、蒸発によって前記乾燥剤材料から除去されることを引き起こすために、再生サイクルの間、前記乾燥剤材料を加熱するステップであって、それによって、前記乾燥剤材料をある状態まで再生し、ここで該状態は、前記乾燥剤材料が、続いて起こる吸着サイクルにおいて、空気流から水蒸気を除去することを可能にするであろう、手段と；
水蒸気が前記空気流から除去されるのに十分な範囲内に前記温度を維持するために、前記吸着サイクルの間、前記乾燥剤材料を冷却する手段は前記流体―空気熱交換器であり、冷却を冷却流体が前記流体―空気熱交換器を通過することで達成し得る手段と；
ある量の空気流がある量の液体表面を横切ることを許可すること、または強制することを含む蒸発性冷却プロセスで、前記空気流が前記流体の温度を低下させることを引き起こす蒸発性冷却手段と；
を含む、除湿システム。
【請求項２】
請求項１に記載の除湿システムであって、
請求項３に記載の除湿システムであって、前記乾燥剤材料を加熱する前記手段は、前記流体−空気熱交換器であり、加熱は、加熱流体を前記流体−空気熱交換器に通過させることによって達成される、除湿システム。
【請求項３】
請求項２に記載の除湿システムであって、
前記熱交換器への入口における二方向バルブを更に含み、この二方向バルブは、前記熱交換器に供給される加熱流体と冷却流体との間で切り替え操作が可能である、除湿システム。
【請求項４】
請求項２に記載の除湿システムであって、
前記加熱流体及び前記冷却流体は、前記熱交換器が吸着サイクル又は再生サイクルで動作しているかどうかに応じて、前記熱交換器に入る前に加熱される又は冷却される共通のソースからの流体である、除湿システム。
【請求項５】
請求項１に記載の除湿システムであって、
空気流を許可する又は強制する手段は、１つ以上のファンである、除湿システム。
【請求項６】
請求項１に記載の除湿システムであって、
前記流体−空気熱交換器は、フィンラジエータの形をしており、このフィンラジエータは、流体流パイプ及び関連する加熱／冷却フィンを含み、該関連する加熱／冷却フィンは、前記乾燥剤材料で被覆される、除湿システム。
【請求項７】
請求項１に記載の除湿システムであって、
前記流体−空気熱交換器、及び空気流を許可する又は強制するための前記手段は、周囲空気をある場所の中に運ぶために使用されるダクト配管に配設される、除湿システム。
【請求項８】
請求項１〜７いずれか一項に記載の除湿システムであって、
前記流体−空気熱交換器、及び空気流を許可する又は強制するための前記手段は、モジュールの一部を形成し、このモジュールは、周囲空気をある場所の中に運ぶために使用されるダクト配管に取り付け可能である、除湿システム。
【請求項９】
請求項８に記載の除湿システムであって、
前記場所は、ビルディング内部である、除湿システム。
【請求項１０】
請求項７に記載の除湿システムであって、
空気流が前記熱交換器を横切ることを許可する又は強制する前記手段は、前記流体−空気熱交換器を介して前記場所に空気流を許可する又は強制するための空気供給モード、及び前記場所から空気流を外に引くための空気返還モードにおいて、交互に動作する、除湿システム。
【請求項１１】
請求項７に記載の除湿システムであって、
前記返還空気はプロセスに供給される、除湿システム。
【請求項１２】
請求項７に記載の除湿システムであって；
前記流体−空気熱交換器と平行して動作する第２流体−空気熱交換器であって、前記流体−空気熱交換器が前記吸着サイクルを動作させている時、前記場所に除湿された空気を連続的に供給することを保証するために、前記第２流体−空気熱交換器は前記再生サイクルを動作させており、且つその逆も成り立つ、第２流体−空気熱交換器と；
吸着サイクルと再生サイクルとの間で、各熱交換器の動作を切り替える手段と；
空気取り扱い手段であって、この空気取り扱い手段は、前記再生サイクルにおいて動作している前記熱交換器を通過する空気は前記場所に提供されず、且つ前記吸着サイクルにおいて動作している前記熱交換器を通過する空気は前記場所に提供されることを提供する、空気取り扱い手段と；
を更に含む除湿システム。
【請求項１３】
請求項１に記載の除湿システムであって、
前記体積の流体はタンクの中で保持され、且つ前記体積の空気は、前記タンクの中の流体の集合体の上部表面エリアを横切ることを許可される又は強制される、除湿システム。
【請求項１４】
請求項１に記載の除湿システムであって、
前記体積の流体は、冷却塔の中で小滴の形をしており、且つ前記体積の空気は、各小滴の表面エリアを横切ることを許可される又は強制される、除湿システム。
【請求項１５】
請求項１に記載の除湿システムであって、
前記蒸発冷却プロセスによって下げられた流体温度を有してきた前記体積の流体は、吸着サイクルの間、前記乾燥剤材料を冷却するために使用される冷却流体として、前記流体−空気熱交換器に供給される、除湿システム。
【請求項１６】
請求項１に記載の除湿システムであって、
前記蒸発冷却プロセスは、場所又は更なるプロセスの中に入る前に、乾燥された空気を冷却する、且つ／又は再加湿するために使用される、除湿システム。
【請求項１７】
請求項１に記載の除湿システムであって；
前記プロセスの下流で動作する第２流体−空気熱交換器であって、前記流体−空気熱交換器が前記吸着サイクルを動作させている時、前記第２流体−空気熱交換器は、前記再生サイクルを動作させており、且つその逆も成り立つ、第２流体−空気熱交換器と；
吸着サイクルと再生サイクルとの間で、各熱交換器の動作を切り替える手段と；
プロセスに除湿された空気を連続的に供給することを保証するために、空気流が熱交換器を横切ることを許可する又は強制する手段の動作モードを切り替える手段であって、それによって、流体−空気熱交換器が吸着サイクルを動作させている時、プロセスに除湿された空気を提供するために、空気流が流体−空気熱交換器を横切って引かれ、その一方で、第２流体−空気熱交換器は、再生サイクルを動作させており、且つ、第２流体−空気熱交換器が前記吸着サイクルを動作させている間、プロセスに除湿された空気を提供するために、空気流が第２流体−空気熱交換器を横切って引かれ、その一方で、流体−空気熱交換器は、再生サイクルを動作させている、手段と；
を更に含む、除湿システム。
【請求項１８】
プロセス又は場所に提供される空気を除湿する方法であって；
吸着サイクルの間、空気流が、乾燥剤材料で被覆された外部（空気側）表面を含む流体−空気熱交換器を横切ることを許可する又は強制するための手段を動作させるステップであって、流体はある温度で前記熱交換器を通過し、ここで該温度は、水蒸気が、吸着により、前記乾燥剤材料によって前記空気流から除去されることを引き起こす、ステップと；
蒸発によって、吸着された水が前記乾燥剤材料から除去されることを引き起こすために、再生サイクルの間、前記乾燥剤材料を加熱するステップであって、それによって、前記乾燥剤材料を、ある状態まで再生し、ここで該状態は、続いて起こる吸着サイクルにおいて、前記乾燥剤材料が、空気流から水蒸気を除去することを可能にするであろう、ステップと；
水蒸気が前記空気流から除去されるのに十分な範囲内に前記温度を維持するために、冷却材料を、前記流体−空気熱交換器に通過させることを含む、前記吸着サイクルの間に前記乾燥剤材料を冷却するステップと；
前記乾燥剤材料を加熱するステップは、加熱流体を、前記流体−空気熱交換器に通過させることを含み；
前記プロセスの下流にある第２流体−空気熱交換器を動作させるステップであって、それによって、前記流体−空気熱交換器が前記吸着サイクルを動作させている時、前記第２流体−空気熱交換器は前記再生サイクルを動作させており、且つその逆も成り立つ、ステップと；
前記プロセスに除湿された空気を連続的に供給することを保証するために、空気流が前記熱交換器を横切ることを許可する又は強制する手段の動作モードを切り替えるステップであって、それによって、前記流体−空気熱交換器が吸着サイクルを動作させている時、前記プロセスに除湿された空気を提供するために、前記流体−空気熱交換器を横切って空気流が引かれ、その一方で、前記第２流体−空気熱交換器が再生サイクルを動作させており、且つ前記第２流体−空気熱交換器が前記吸着サイクルを動作させている時、前記プロセスに除湿された空気を提供するために、前記第２流体−空気熱交換器を横切って空気流が引かれ、その一方で、前記流体−空気熱交換器は、再生サイクルを動作させている、ステップと；
を更に含む、方法。